(57)【要約】【課題】撮像装置と表示装置が別体である撮像システムにおいて、目的を特化せず、ユーザが撮像タイミングを決定した時点前後の撮像データを記録できない。【解決手段】通常状態では、撮像装置の第１のバッファ１１１内のデータ伝送制御部２０３は、常時記録バッファ２０１に撮像データを格納するよう制御し、ユーザから一定時間記録操作を受けると、撮像データの格納先を一定時間だけ、常時記録バッファ２０１から一時記録バッファ２０２へ切り替える。データ伝送制御部２０３は、常時記録バッファ２０１に格納されている撮像データの中で、一定時間記録操作を受けた時刻より一定時間前の撮像データと、一時記録バッファ２０２に格納される撮像データを表示装置へ送信するデータとして取り出す。【選択図】図２
2010268187.tif 000002
【特許請求の範囲】
【請求項１】
撮像装置と、前記撮像装置で撮像した撮像データを表示する表示装置とを備え、
前記撮像装置は、ユーザから記録操作を受け付ける第１の操作部と、
前記第１の操作部が記録操作を受けた時点前後の所定期間の撮像データを前記表示装置へ送信する第１の制御部
とを有することを特徴とする撮像システム。
【請求項２】
前記撮像装置は、撮像した撮像データを常時記録する常時記録バッファと、
前記記録操作を受けた時点から所定期間だけ撮像データを記録する一時記録バッファとを有し、
前記第１の制御部は、第１の操作部が記録操作を受けると、前記常時記録バッファに記録されている前記記録操作を受けた時点より所定期間前の撮像データと、前記一時記録バッファに記録される撮像データを前記表示装置に送信することを特徴とする請求項１記載の撮像システム。
【請求項３】
前記第１の制御部は、前記記録操作を受けた時点で、前記撮像データの記録先を前記常時記録バッファから前記一時記録バッファに切り替え、
前記記録操作を受けた時点より所定期間が経過すると、前記撮像データの記録先を前記一時記録バッファから前記常時記録バッファへ切り替えることを特徴とする請求項２記載の撮像システム。
【請求項４】
前記第１の制御部は、新たに受けた記録操作に対して送信対象となる期間が、１つ前に受けた記録操作に対して送信対象となる期間と重なる期間がある場合には、前記重なる期間は送信対象としないことを特徴とする請求項１記載の撮像システム。
【請求項５】
前記第１の制御部は、送信対象となる期間の中で既に前記表示装置へ送信した撮像データと同じ期間が存在する場合には、前記同じ期間の撮像データを送信せず、前記同じ期間を示す情報を送信することを特徴とする請求項５記載の撮像システム。
【請求項６】
前記記録操作を受けた時点より前の所定期間長と前記記録操作を受けた時点より後の所定期間長は、一致することを特徴とする請求項１ないし請求項３記載の撮像システム。
【請求項７】
前記記録操作を受けた時点より前の所定期間長と前記記録操作を受けた時点より後の所定期間長は、異なることを特徴とする請求項１ないし請求項３記載の撮像システム。
【発明の詳細な説明】
【技術分野】
【０００１】
本発明は、撮像すると共に、撮像したデータを表示する機能を備えた撮像システムに関するものである。
【背景技術】
【０００２】
従来の撮像システムは、例えばゴルフスイングのチェックすることを目的とした特許文献１に記載されているようなものがあった。
【０００３】
図１０は、前記特許文献１に記載された従来の撮像システムを簡略化したものである。
【０００４】
図１０において、第１の撮像カメラ１００１は練習者の全身を撮影し、第２の撮像カメラ１００２はゴルフボール近傍のクラブヘッドの動きを撮影する。ボールセンサ１００５が、ゴルフボールが打たれたことを検出すると、トリガ発生回路１００６がトリガを発生し、制御回路１００７はその前後一定時間分を撮影して撮像データを撮像データ記憶メモリ１００３に記憶し、自動的に撮影停止して、撮影したデータをモニタ装置１００４にスロー再生するものである。
【０００５】
従来の撮像システムにおいては、ゴルフボールが打たれたことをボールセンサ１００５が検出することをトリガにすることで練習者とは別の撮影者を用意することなしに自動的に撮影することを実現している。
【先行技術文献】
【特許文献】
【０００６】
【特許文献１】特開平５−１５６２８号公報
【発明の概要】
【発明が解決しようとする課題】
【０００７】
しかしながら、前記従来の構成では、撮影開始のトリガをボールセンサ１００５による検出で得る為に、ボールセンサ１００５を被検出対象のボールに、その動きが検出できる位置に近付け、固定設置しなければならないことという課題を有していた。
【０００８】
また、目的がゴルフスイングのチェックに特化されており、他目的での利用が困難であるという課題を有していた。
【０００９】
本発明は、前記従来の課題を解決するもので、目的を特化せず、撮像装置と表示装置が別体である撮像システムにおいて、ユーザが撮像タイミングを決定し、決定した撮像タイミング前後一定時間分を撮影して、撮像装置から表示装置へ撮像データを送信して表示装置に表示させる撮像システムを提供することを目的とする。
【課題を解決するための手段】
【００１０】
上記課題を解決するために、本発明の撮像システムは、撮像装置と、前記撮像装置で撮像した撮像データを表示する表示装置とを備え、前記撮像装置は、ユーザから記録操作を受け付ける第１の操作部と、前記第１の操作部が記録操作を受けた時点前後の所定期間の撮像データを前記表示装置へ送信する第１の制御部とを有することを特徴とする撮像システムである。
【００１１】
また、本発明の請求項２に係る発明は、前記撮像装置は、撮像した撮像データを常時記録する常時記録バッファと、前記記録操作を受けた時点から所定期間だけ撮像データを記録する一時記録バッファとを有し、前記第１の制御部は、第１の操作部が記録操作を受けると、前記常時記録バッファに記録されている前記記録操作を受けた時点より所定期間前の撮像データと、前記一時記録バッファに記録される撮像データを前記表示装置に送信することを特徴とする撮像システムである。
【００１２】
また、本発明の請求項３に係る発明は、前記第１の制御部は、前記記録操作を受けた時点で、前記撮像データの記録先を前記常時記録バッファから前記一時記録バッファに切り替え、前記記録操作を受けた時点より所定期間が経過すると、前記撮像データの記録先を前記一時記録バッファから前記常時記録バッファへ切り替えることを特徴とする撮像システムである。
【００１３】
また、本発明の請求項４に係る発明は、前記第１の制御部は、新たに受けた記録操作に対して送信対象となる期間が、１つ前に受けた記録操作に対して送信対象となる期間と重なる期間がある場合には、前記重なる期間は送信対象としないことを特徴とする撮像システムである。
【００１４】
また、本発明の請求項５に係る発明は、前記第１の制御部は、送信対象となる期間の中で既に前記表示装置へ送信した撮像データと同じ期間が存在する場合には、前記同じ期間の撮像データを送信せず、前記同じ期間を示す情報を送信することを特徴とする。
【００１５】
また、本発明の請求項６に係る発明は、前記記録操作を受けた時点より前の所定期間長と前記記録操作を受けた時点より後の所定期間長は、一致することを特徴とする。
【００１６】
また、本発明の請求項７に係る発明は、前記記録操作を受けた時点より前の所定期間長と前記記録操作を受けた時点より後の所定期間長は、異なることを特徴とする。
【発明の効果】
【００１７】
本発明の撮像システムによれば、目的を特化せず、撮像装置と表示装置が別体である撮像システムにおいて、ユーザが撮像タイミングを決定し、決定した撮像タイミング前後一定時間を撮像した撮像データを撮像装置から表示装置へ送信して表示装置で表示することができる。
【図面の簡単な説明】
【００１８】
【図１】本発明の撮像システムの一構成例を示す図
【図２】本発明の撮像システムにおける第１のバッファの詳細な構成を示す図
【図３】本発明の実施の形態１における記録動作を示すフローチャート
【図４】同一定時間記録モード時の詳細な動作を示すフローチャート
【図５】同一定時間記録モード時の詳細な動作を示すフローチャート
【図６】同一定時間記録モードの一例を示す図
【図７】同一定時間記録モードの一例を示す図
【図８】同一定時間記録モードの一例を示す図
【図９】同一定時間記録モードの一例を示す図
【図１０】従来の撮像システムの構成を示すブロック図
【発明を実施するための形態】
【００１９】
以下、本発明を実施するための最良の形態について、図面を参照しながら説明する。
【００２０】
（実施の形態１）
図１は、本発明の実施の形態１における撮像システムのシステム構成の一例を示すブロック図である。
【００２１】
図１において、撮像システム１０１は撮像装置１０２と表示装置１０３とから構成される。撮像装置１０２は、レンズも含めた撮像部１１０と、撮像部１１０が撮像した撮像データをあらかじめ定められた所定の時間記録する第１のバッファ１１１と、表示装置１０３と無線通信を行う第１の無線ＩＦ部１１２と、ユーザが操作を行う第１の操作部１１３と、第１の操作部１１３の操作内容に従って、撮像部１１０、第１のバッファ１１１、第１の無線ＩＦ部１１２を制御する第１の制御部１１４とから構成される。
【００２２】
また、表示装置１０３は、撮像装置１０２と無線通信を行う第２の無線ＩＦ部１２０と、第２の無線ＩＦ部１２０から出力される撮像データを一時的に記録する第２のバッファ１２１と、撮像データを表示する表示部１２２と、第２の無線ＩＦ部１２０から出力された撮像データを蓄積する蓄積部１２３と、ユーザが操作を行う第２の操作部１２４と、第２の操作部１２４から出力される操作内容に応じて、第２の無線ＩＦ部１２０、第２のバッファ１２１、表示部１２２を制御する第２の制御部１２５とから構成される。
【００２３】
図２は、本発明の実施の形態１における撮像装置１０２の第１のバッファ１１１の一構成例を示すブロック図である。
【００２４】
図２において、第１のバッファ１１１は、撮像部１１０が撮像した撮像データを記録する常時記録バッファ２０１と、撮像部１１０が撮像したデータを指定された期間のみ記録する一時記録バッファ２０２と、常時記録バッファ２０１、一時記録バッファ２０２への撮像データの入出力を制御するデータ伝送制御部２０３から構成される。
【００２５】
ここで、本発明の撮像システムでの撮像制御には、以下に示す３つの動作モードがあり、各モードは、ユーザが第１の操作部１１３を操作することで切り替えられる。
【００２６】
（１）通常モード
電源ＯＮの状態で撮像部１１０が撮像を行っているモード。
【００２７】
（２）記録モード
ユーザが記録開始操作を行った時点から、記録停止操作を行った時点まで撮像した撮像データを記録するモード。
【００２８】
（３）一定時間記録モード
ユーザが操作した時点の前後一定時間の撮像データを記録するモード。
【００２９】
図３は、本発明の実施の形態１における撮像システムで、撮像装置１０２における一連の動作を示すフローチャートである。
【００３０】
以下、図１、図２、図３を参照して、本実施の形態１のシステムの動作を説明する。
【００３１】
ユーザが第１の操作部１１３を操作して、撮像システム１０１の電源をＯＮにすると、撮像システム１０１が初期化され、通常モードとなる（ステップＳ３０１〜ステップＳ３０２）。この状態では、ユーザが第１の操作部１１３で記録操作を行わずとも、撮像部１１０で撮像した撮像データはデータ伝送制御部２０３の制御により、常時記録バッファ２０１に記録される（ステップＳ３０３）。この場合、撮像データは常時記録バッファ２０１に記録されるのみで、データ伝送制御部２０３から出力はされない。
【００３２】
ここで、常時記録バッファ２０１が記録可能なデータ量は有限である為、常時記録バッファ２０１の容量が撮像データで満たされると、時間的に新しい撮像データが上書きされ、時間的に一番古いデータが削除される制御が自動的に行われる。これは例えば、常時記録バッファ２０１をＦＩＦＯメモリで構成するなどで実現できる。故に、常時記録バッファ２０１が撮像データで満たされると、常に時間的に新しい一定時間分の撮像データが記録されていることになる。
【００３３】
次に、第１の制御部１１４は、ユーザが第１の操作部１１３を操作したかどうかを判定する（ステップＳ３０４）。第１の制御部１１４は、ユーザが操作を行うまでステップＳ３０４を繰り返し、ユーザが操作を行った場合は、記録開始操作を行ったかどうかを判定する（ステップＳ３０５）。第１の制御部１１４は、ユーザが記録開始操作を行ったと判定した場合は、記録モード時の動作を行う（ステップＳ３０６）。記録モード時の動作は後述する。第１の制御部１１４は記録モード時の動作を終了すると、ステップＳ３０４に戻る。
【００３４】
第１の制御部１１４は、ステップＳ３０５において、ユーザが記録開始操作を行わなかったと判定した場合、ユーザが一定時間記録操作を行ったかどうかを判定する（ステップＳ３０７）。第１の制御部１１４は、ステップＳ３０７において、ユーザが一定時間記録操作を行ったと判定した場合は、一定時間記録モード時の動作を行う（ステップＳ３０８）。一定時間記録モード時の動作は後述する。第１の制御部１１４は一定時間記録モード時の動作を終了すると、ステップＳ３０４に戻る。
【００３５】
第１の制御部１１４はステップＳ３０７において、ユーザが一定時間記録操作を行っていないと判定した場合には、ユーザの操作に応じた動作を行う（ステップＳ３０９）。第１の制御部１１４は所定の動作が終了すると、ステップＳ３０４に戻る。上記動作は、ユーザが第１の操作部１１３を操作して、撮像システム１０１の電源をＯＦＦにするまで続けられる。
【００３６】
（記録モード時の動作）
図４は、記録モード時の撮像装置における動作を示すフローチャートである。
【００３７】
以下、図１、図２、図４を参照して、本実施の形態１のシステムで記録モード時の動作を説明する。
【００３８】
第１の制御部１１４は、ステップＳ３０５で記録モードに入ったと判定すると、データ伝送制御部２０３が、撮像部１１０が撮像する撮像データの記録先を常時記録バッファ２０１から、一時記録バッファ２０２に切り替えるよう制御する（ステップＳ４０１）。
【００３９】
次に、第１の制御部１１４はデータ伝送制御部２０３に一時記録バッファ２０２に記録される撮像データを無線ＩＦ部１１２へ出力するよう制御する。そして、第１の制御部１１４は、無線ＩＦ部１１２に第１のバッファ１１１から出力されるデータを表示装置１０３へ無線伝送するよう制御する（ステップＳ４０２）。
【００４０】
第１の制御部１１４はユーザが第１の操作部１１３を用いて、操作を行ったかどうかを常にチェックし、ユーザの操作が行われたことを判定した場合は、その操作が記録停止操作であるかどうかを判定する。第１の制御部１１４は、ユーザが記録停止操作を行っていないと判定した場合は、ステップＳ４０３に戻り、ユーザが記録停止操作を行ったと判定した場合には、データ伝送制御部２０３が、撮像部１１０が撮像した撮像データの記録先を一時記録バッファ２０２から常時記録バッファ２０１に切り替えるよう制御する（ステップＳ４０３〜ステップＳ４０５）。
【００４１】
第１の制御部１１４はステップＳ４０４において、ユーザが記録停止操作を行ったと判定した場合には、一時記録バッファ２０２に未送信の撮像データがあるかどうかをデータ伝送制御部２０３に問い合わせ、未送信の撮像データがなくなるまで、データ伝送制御部２０３と第１の無線ＩＦ部１１２を制御して、撮像データを表示装置１０３に無線送信する。第１の制御部１１４は、データ伝送制御部２０３より一時記録バッファ２０２に未送信の撮像データがなくなったことを通知されると、記録モードを終了する（ステップＳ４０６）。
【００４２】
（一定時間記録モード）
図５は、一定時間記録モード時の動作を示すフローチャートである。
【００４３】
以下、図１、図２、図５を参照して、本実施の形態における一定時間記録モード時の動作を説明する。
【００４４】
まず、第１の制御部１１４は、ステップＳ３０７で一定時間記録モードであると判定すると、ユーザが一定時間記録モードを操作した時刻を時刻ｔに設定する（ステップＳ５０１）。次に、第１の制御部１１４は、データ伝送制御部２０３に、撮像部１１０が撮像する撮像データの記録先を常時記録バッファ２０１から、一時記録バッファ２０２に切り替えるよう制御する（ステップＳ５０２）。
【００４５】
次に、第１の制御部１１４は、時刻ｔよりα（＞０）秒前の時刻の撮像データが常時記録バッファ２０１に記録されているかどうかを調べ、記録されている場合は、撮像データの記録開始時刻ｓを時刻ｔよりα秒前の時刻に設定し、記録されていない場合は、常時記録バッファ２０１に記録されている撮像データの中で時間的に一番前の時刻を記録開始時刻ｓとして設定する。また、時刻ｔよりα秒後の時刻を記録終了時刻ｕと設定する（ステップＳ５０３）。
【００４６】
第１の制御部１１４は、データ伝送制御部２０３を制御して、常時記録バッファ２０１に記録されている撮像データのうち、時刻ｓから時刻ｔまでの期間の撮像データを第１の無線ＩＦ部１１２に出力させ、第１の無線ＩＦ１１２が第１のバッファ１１１より出力された撮像データを表示装置１０３に無線伝送するよう制御する（ステップＳ５０４）。
【００４７】
次に、第１の制御部１１４は、時刻ｕを経過したかを判定する（ステップＳ５０５）。第１の制御部１１４は、時刻ｕを経過したと判定した場合は、データ伝送制御部２０３が撮像データの記録先を一時記録バッファ２０２から常時記録バッファ２０１に切り替えたかどうかを判定し（ＳステップＳ５０６）、切り替え済の場合はステップＳ５０８へ進み、切り替えされていない場合は、データ伝送制御部２０３に撮像データの記録先を一時記録バッファ２０２から常時記録バッファ２０１に切り替えるよう制御する（ステップＳ５０７）。
【００４８】
第１の制御部１１４はステップＳ５０５において、時刻ｕを経過していないと判定した場合は、常時記録バッファ２０１に記録されている時刻ｓから時刻ｔまでの撮像データを第１の無線ＩＦ部１１２に送信終了したかどうかを、データ伝送制御部２０３を用いて判定する（ステップＳ５０８）。第１の制御部１１４は、ステップＳ５０８において、送信終了していないと判定した場合は、ステップＳ５０５に戻り、送信終了していると判定した場合は、データ伝送制御部２０３が、一時記録バッファ２０２に記録されている撮像データを第１の無線ＩＦ部１１２に出力するよう制御する（ステップＳ５０９）。第１の制御部１１４は、第１の無線ＩＦ部１１２に第１のバッファより出力された撮像データを表示装置１０３に無線送信するよう制御する。第１の制御部１１４は、一時記録バッファ２０２に記録されている撮像データの送信が全て終了したかどうかを判定し、終了した場合は処理を終了する（ステップＳ５１０）。
【００４９】
このように、一定時間記録モードにおいては、ユーザが操作した時刻を中心に前後の撮像データが表示装置１０３に送信される。表示装置１０３においては、第２の制御部１２５は、撮像装置１０２から無線送信された撮像データを第２の無線ＩＦ部１２０が受信すると、第２のバッファ１２１へ記録するとともに、蓄積部１２３に蓄積する制御を行う。第２の制御部１２５は第２の操作部１２４を用いてユーザより再生等の操作を受けると、第２のバッファ１２１に記録されている撮像データを表示部１２２に表示させる。
【００５０】
図６は本発明の実施の形態１における一定時間記録モードにおいて、表示装置１０３に無線伝送される撮像データを示す一例を示す図である。
【００５１】
図６において、ｔ２は第１の制御部１１４が、第１の操作部１１３を用いたユーザの操作を受け、一定時間記録モード開始したと判定した時刻ｔである。また、同図のｔ１は、時刻ｔ１からα秒前の記録開始時刻ｓ、ｔ３は時刻ｔ１からα秒後の記録終了時刻ｕを示す。図６において、第１の記録期間６０１は、常時記録バッファ２０１に記録された撮像データを示し、第２の記録期間６０２は、一時記録バッファ２０２に記録された撮像データを示す。この場合は、表示装置１０３の蓄積部１２３には、時刻ｔ１から時刻ｔ２の撮像データが蓄積される。
【００５２】
図７は本発明の実施の形態１における一定時間記録モードにおいて、表示装置１０３に無線伝送される撮像データの他の例である。この場合は、一定時間記録モードが続けて２回行われた例を示す。
【００５３】
図７において、ｔ２は１回目の一定時間記録モード操作が行われた時刻、ｔ５は２回目の一定時間記録モード操作を行われた時刻を示す。この場合は、図７に示すように、１回目の記録開始時刻ｓには時刻ｔ２よりα秒前の時刻ｔ１、記録終了時刻uとしては、時刻ｔ２よりα秒後の時刻ｔ３、２回目の記録開始時刻ｓには、時刻ｔ５よりα秒前の時刻ｔ４、記録終了時刻ｕには、時刻ｔ５よりα秒後の時刻ｔ６がそれぞれ設定される。
【００５４】
すなわち、１回目の一定時間記録操作に対しては、時刻ｔ１から、時刻ｔ３までの撮像データ、２回目の一定時間記録操作に対しては、時刻ｔ５より時刻ｔ６までの撮像データが表示装置１０３に無線送信される。
【００５５】
また、この場合は、時刻ｔ１から時刻ｔ２までの１回目の第１の記録期間６０１の撮像データと、時刻ｔ４から時刻ｔ５までの２回目の第１の記録期間７０１の撮像データが常時記録バッファ２０１に記録され、時刻ｔ２から時刻ｔ３までの１回目の第２の記録期間６０２と時刻ｔ５から時刻ｔ６までの２回目の第２の記録期間７０２の撮像データが一時記録バッファ２０２に記録される。
【００５６】
図８は本発明の実施の形態１における一定時間記録モードにおいて、表示装置１０３に無線伝送される撮像データの他の例である。この場合は、一定時間記録モードが続けて２回行われ、１回目と２回目の操作における表示装置１０３への送信対象の撮像データが時間的に重複する場合の例である。
【００５７】
図８において、ｔ２は１回目の一定時間記録モード操作が行われた時刻、ｔ５は２回目の一定時間記録モード操作が行われた時刻を示す。図８に示すように、時刻ｔ５よりα秒前の時刻ｔ４が時刻ｔ２よりα秒後の時刻ｔ３より前の時刻となっている。そのため、時刻ｔ５よりα秒前の時刻から、時刻ｔ３までの撮像データは一時記録バッファ２０２に記録されており、常時記録バッファ２０１には記録されていない。この場合、常時記録バッファ２０１には、時刻ｔ３から時刻ｔ５までの撮像データが記録されているので、２回目の一定時間記録モード操作における常時記録バッファ２０１から読み出す撮像データの記録開始時刻ｓには時刻ｔ３が設定される。また、１回目の操作における記録開始時刻ｓ、１回目、２回目の記録終了時刻には図７の場合と同様、それぞれ、時刻ｔ１、時刻ｔ２のα秒後の時刻ｔ３、時刻ｔ５のα秒後の時刻ｔ６が設定される。
【００５８】
従って、図８の場合においては、時刻ｔ１から、時刻ｔ３までの撮像データと、時刻ｔ３（時刻ｔ４）から、時刻ｔ６までの撮像データが表示装置１０３に無線送信される。また、この場合は、時刻ｔ１から時刻ｔ２までの１回目の第１の記録期間６０１の撮像データと、時刻ｔ４（時刻ｔ３）から時刻ｔ５までの２回目の第１の記録期間８０１の撮像データが常時記録バッファ２０１に記録され、時刻ｔ２から時刻ｔ３までの１回目の第２の記録期間６０２と時刻ｔ５から時刻ｔ６までの２回目の第２の記録期間８０２の撮像データが一時記録バッファ２０２に記録される。
【００５９】
図９は本発明の実施の形態１における一定時間記録モードにおいて、表示装置１０３に無線伝送される撮像データの他の例である。
【００６０】
図９において、ｔ２は１回目の一定時間記録モード操作、ｔ５は２回目の一定時間記録モード操作が行われた時刻を示す。１回目の一定時間記録モード操作に対する処理は、図６の場合と同様であるので、説明を省略する。この場合は、図９に示すように、時刻ｔ５は、１回目の一定時間記録モード操作における、無線送信対象の時間内に位置している。図９に示すように、この場合は、時刻ｔ５の前後の撮像データは送信されているため、２回目の一定時間記録モード操作に対応する処理は行わない。
【００６１】
なお、図９のように、一定時間記録モード操作を行った時刻が無線送信対象の時間内に位置している場合、常時記録バッファ２０１に記録されている時刻ｔ５よりα秒前の時刻から時刻ｔ５までの撮像データと、時刻ｔ５よりα秒後の時刻までの撮像データを一時記録バッファに記録して送信するようにしてもよい。また、時刻ｔ５よりα秒前の時刻と、時刻ｔ３の時刻情報と、時刻ｔ３から時刻ｔ５よりα秒後の時刻までの撮像データを送信するようにしてもよい。この場合は、表示装置１０３において、表示する際に、受信した時刻情報より、既に第２のバッファ１２１、もしくは蓄積部１２３に蓄積している該当データを読み出して、送信されてきた撮像データと一連のデータであるように、表示するように第２の制御部１２５が制御すればよい。
【００６２】
なお、本発明の実施の形態においては、表示装置１０３に蓄積部１２３を設けるとしたが、蓄積部１２３は表示装置１０３と別体としてもよい。
【００６３】
また、本発明の実施の形態においては、表示装置１０３に第２の操作部１２４を設けるとしたが、第２の操作部１２４を第１の操作部１１３と一体として撮像装置１０２に設け、表示装置１０３には操作部を設けないとしてもよい。
【００６４】
また、本発明の実施の形態においては、第１の記録期間と第２の記録期間は、同じ期間としたが、異なっていてもよい。
【００６５】
また、本発明の実施の形態においては、ユーザが第１の操作部１１３を操作することでモード切替が行われるとしたが、第２の操作部１２４を操作することでモード切替が行われるとしてもよい。
【００６６】
また、本発明の実施の形態においては、ユーザが操作部１１３を操作することで電源ＯＮになるとしたが、第２の操作部１２４を操作することで電源ＯＮになるとしてもよい。
【００６７】
また、本発明の実施の形態においては、常時記録バッファ２０１には電源ＯＮになった状態で撮像データが記録されるとしたが、電源ＯＮでは記録されず、記録モードになってから撮像データを記録するとしてもよい。
【００６８】
また、本発明の実施の形態においては、第１の制御部１１４が通常モードで記録操作が開始されると、撮像データの記録先を常時記録バッファ２０１から一時記録バッファ２０２に切り替えたが、記録操作時には、双方に撮像データを記録するようにしてもよい。
【００６９】
また、記録モード、一定時間記録モード、記録開始、あるいは記録停止を、第１の制御部１１４がユーザの第１の操作部１１３の操作によって判定するとしたが、第２の制御部１２５がユーザの第２の操作部１２４の操作によって判定するとしてもよい。
【００７０】
また、第１の操作部１１３が記録モードに入ったと判定すると、記録停止するまでは記録モードに入り続けるとしたが、記録モードに入った後、ユーザが第１の操作部１１３を操作するなどして記録終了せずとも記録モードから抜けることができるとしてもよい。
【００７１】
また、第２の制御部１２５は、第２の無線ＩＦ部１２０が撮像データを受信すると、第２のバッファ１２１に記録し、蓄積部１２３に蓄積するとしたが、あわせて、受信した撮像データの一部を静止画として、あるいは動画として表示部１２２に表示するとしても良い。また、蓄積部１２３に蓄積されている全ての撮像データを静止画、あるいは動画で縮小表示し、撮像データの一覧表示としてもよい。この場合、ユーザは一覧表示されたデータを選択することで、所望の撮像データを表示できる。
【００７２】
また、一定時間記録操作の指示は、専用のボタンを設けたり、既に用意されているボタンの組み合わせで行ったり、操作指示ができる形態であれば、どのような形態でもよい。
【産業上の利用可能性】
【００７３】
本発明にかかる撮像システムは、撮像装置と表示装置が別体の撮像システムにおいて、ユーザが記録タイミングを決定し、撮像装置から表示装置へ撮像データを送信して表示装置で表示することが可能となるので、利便性のある撮像システム等として有用である。
【符号の説明】
【００７４】
１０１  撮像システム
１０２  撮像装置
１０３  表示装置
１１０  撮像部
１１１  第１のバッファ
１１２  第１の無線ＩＦ部
１１３  第１の操作部
１１４  第１の制御部
１２０  第２の無線ＩＦ部
１２１  第２のバッファ
１２２  表示部
１２３  蓄積部
１２４  第２の操作部
１２５  第２の制御部
２０１  常時記録バッファ
２０２  一時記録バッファ
２０３  データ伝送制御部
【図１】
2010268187.tif 000003
【図２】
2010268187.tif 000004
【図３】
2010268187.tif 000005
【図４】
2010268187.tif 000006
【図５】
2010268187.tif 000007
【図６】
2010268187.tif 000008
【図７】
2010268187.tif 000009
【図８】
2010268187.tif 000010
【図９】
2010268187.tif 000011
【図１０】
2010268187.tif 000012